(57)【特許請求の範囲】
【請求項１】
ケーブル本体と吊り線とを備え、ケーブル本体は、吊り線の単位長さよりも軸長が長くなるように若干の撚りをかけた状態で吊り線に沿って配置されるとともに、ケーブル本体と吊り線とが保護シースで一体に被覆されてなり、前記ケーブル本体は、スロットロッドの外周部において複数の溝が設けられ、これらの各溝は、スロットロッドの軸方向に沿って延びかつスロットロッドの周面に沿って左右交互に巻き方向が所定ピッチごとに反転するように形成されており、これらの各溝内にテープ心線が収納されており、かつ、前記ケーブル本体の吊り線に対する撚りピッチと、前記スロットロッドに形成された溝の左右巻きピッチとが互いに整数倍とならないように設定されていることを特徴とする架空光ケーブル。
【発明の詳細な説明】
【０００１】
【発明の属する技術分野】
本発明は、架空光ケーブルに関する。
【０００２】
【従来の技術】
光ファイバケーブルを電柱に架設する場合、ケーブル単体だけでは引っ張り強度が不十分で断線したり、引っ張り力によって伝送特性が劣化するなどの不都合を生じる。
【０００３】
そのため、従来は、図５に示すように、光ファイバケーブルaを、鋼より線等からなる補強用の吊り線bにケーブルリングcを用いて結合し、これらを電柱hに架設するようにしている。
【０００４】
しかし、図５のように、ケーブルリングcを用いて光ファイバケーブルaを吊り線bに結合させる作業を現場で行うのは、手間がかかり効率的でない。
【０００５】
そこで、従来技術では、予め工場などで光ファイバケーブルaと吊り線bとを一体化して、搬送、架設を容易に行えるようにした架空光ケーブルが提供されている。
【０００６】
従来の架空光ケーブルは、図６に示すように、光ファイバを有するケーブル本体eと吊り線fとを互いに平行に軸方向に沿って直線状に配置した状態で両者e，fをポリエチレン等の保護シースgによって一体化するとともに、この保護シースgのくびれ部分jに風による振動防止用の窓kを形成したものである。
【０００７】
【発明が解決しようとする課題】
しかしながら、図６に示す構成の従来の架空光ケーブルは、ケーブル本体eと吊り線fとが互いに平行して直線状に並んでいるので、両者e，fの長さが同じであり、このため、電柱に固定される吊り線fに余分な張力が加わって伸びが生じた場合には、これがケーブル本体eに直接に影響して、ケーブル本体e内の光ファイバに歪みが生じて、特性が劣化するおそれがある。
【０００８】
しかも、ケーブル本体eから所要本数の光ファイバを取り出してこれを分岐しようとした場合、ケーブル本体eには余長部分がないため、保護シースgを除去して光ファイバを取り出す作業スペースが十分に確保できず、分岐接続に手間がかかる等の不都合がある。
【０００９】
したがって、本発明においては、ケーブル本体の部分には余分な張力が加わらず、しかも、光ファイバの分岐作業を容易に行える架空光ケーブルを提供することを課題とする。
【００１０】
【課題を解決するための手段】
本発明は、このような課題を達成するために、次の構成を採用している。
【００１１】
すなわち、請求項１記載の発明の架空光ケーブルは、ケーブル本体と吊り線とを備え、ケーブル本体は、吊り線の単位長さよりも軸長が長くなるように若干の撚りをかけた状態で吊り線に沿って配置されるとともに、ケーブル本体と吊り線とが保護シースで一体に被覆されてなり、前記ケーブル本体は、スロットロッドの外周部において複数の溝が設けられ、これらの各溝は、スロットロッドの軸方向に沿って延びかつスロットロッドの周面に沿って左右交互に巻き方向が反転するように形成されており、これらの各溝内にテープ心線が収納されており、かつ、前記ケーブル本体の吊り線に対する撚りピッチと、前記スロットロッドに形成された溝の左右巻きピッチとが互いに整数倍とならないように設定されている。
【００１３】
【発明の実施の形態】
図１は本発明の実施形態に係る架空光ケーブルの側面図、図２は同ケーブルの底面図、図３は図１のＡ−Ａ線に沿う断面図である。
【００１４】
この架空光ケーブル１は、ケーブル本体２と吊り線４とを備える。そして、ケーブル本体２が吊り線４の単位長さよりも軸長が長くなるように所定のピッチＰcで撚りをかけた状態(平面上は図２に示すような蛇行状態となる)で吊り線４に沿って配置されるとともに、両者２，４がポリエチレン(ＰＥ)やポリ塩化ビニル(ＰＶＣ)等からなる保護シース６で一体に被覆されており、保護シース６のケーブル本体２と吊り線４との間の厚みが薄くなったくびれ部８には、ケーブル軸長に沿ってケーブル本体２のよりピッチＰcに合わせた間隔で切り込み１０が形成されている。
【００１５】
上記のケーブル本体２は、ポリエチレン樹脂などでできたスロットロッド１２を備え、このスロットロッド１２の中心には、本例では鋼撚線からなるテンションメンバ１４が埋設され、また、スロットロッド１２の外周部の複数箇所(本例では５箇所)には溝１６が設けられている。
【００１６】
これらの各溝１６は、スロットロッド１２の軸方向に沿って延びており、しかも、スロットロッド１２の周面に沿って左右交互に巻き方向が反転するように形成されている。
【００１７】
すなわち、いま、一つの溝１６に着目したとき、この溝１６は、図４に示すように、スロットロッド１２に対してたとえば糸をピッチＰiで左巻きすると、次にピッチＰiで右巻きするというように、左巻きと右巻きとを反転させながら巻き付けるような形状となるように形成されている。
【００１８】
そして、各溝１６内には、テープ心線１８が本例では５層にわたって積層されて収納されている。これらの各テープ心線１８は、複数(本例では４本)の光ファイバ素線２２を並列配置した状態で紫外線樹脂などの被覆体２４で一体化されたものである。また、スロットロッド１２の外周には、各溝１６を封鎖する状態で押さえ巻層２０が巻回されている。
【００１９】
さらに、この実施形態では、ケーブル本体２の吊り線４に対するよりピッチＰc(図２参照)と、スロットロッド１２に形成された溝１６の左右巻きピッチＰi(図４参照)とが互いに整数倍とならないように、すなわちＰc／Ｐi≠n(nは整数)となるように設定されている。たとえば、Ｐc＝９００mm、Ｐi＝５００mmに設定される。
【００２０】
この構成の架空光ケーブル１は、上述のように、ケーブル本体２が吊り線４の単位長さよりも軸長が長くなるように所定のピッチＰcで撚りをかけているので、電柱に固定される吊り線４に余分な張力が加わって伸びが生じた場合でも、ケーブル本体２が蛇行状態から直線状態に伸長することできる。このため、ケーブル本体２内のテープ心線１８にまで直接に歪みが生じることがない。
【００２１】
また、ケーブル本体２から所要本数のテープ心線１８を取り出してこれを分岐しようとした場合、保護シース６のくびれ部８を切断すれば、ケーブル本体２側に余長ができるために、ケーブル本体２側の保護シース６を剥離してテープ心線１８を取り出す作業スペースを十分に確保できる。
【００２２】
しかも、この架空光ケーブル１は、ケーブル本体２のスロットロッド１２に形成されている各溝１６が周面に沿って左右交互に巻き方向が反転するように形成され、その溝１６内にテープ心線１８が収納されているから、左巻きあるいは右巻きの一方向のみの溝内にテープ心線１８を収納する場合に比べてより多くの余長が確保されていることになる。よって、保護シース６および押さえ巻層２０を取り除いて溝１６を露出すれば、その露出した溝１６から簡単にテープ心線１８を取り出すことができる。これらのことから、分岐接続を容易に行うことができる。
【００２３】
図２に示したように、ケーブル本体２に余長をもたせるために吊り線４に対して蛇行させているので、その湾曲した箇所ではその内部のテープ心線１８に若干の曲げ応力が加わることになる。また、スロットロッド１２に形成された溝１６も螺旋形状になっているので、その湾曲した箇所に収納されているテープ心線１８に若干の曲げ応力が加わることになる。そして、ケーブル本体２の湾曲箇所とスロットロッド１２に形成された溝１６の湾曲箇所とが一致したときには、テープ心線１８に加わる曲げ応力が倍増し、テープ心線１８の伝送損失が増えるおそれがある。
【００２４】
しかし、本例の架空光ケーブル１においては、ケーブル本体２の吊り線４に対する撚りピッチＰcと、スロットロッド１２に形成された溝１６の左右巻きピッチＰiとが互いに整数倍とならないように設定されているから、テープ心線１８に加わる曲げ応力がケーブルの一カ所で集中するのが回避され、伝送損失の増加を抑えることができる。
【００２５】
なお、ケーブル本体２のスロットロッド１２に形成される溝１６の数は、本例に限定されず、複数あるものは本発明に含まれる。また、各溝１６に収納されるテープ心線１８の数も本例に限定されず、一枚のみ収納されたものであってもよい。また、テープ心線１８を構成する光ファイバ素線２２の本数も本例に限定されず、複数本あるものは本発明に含まれる。さらに、本例では、溝１６の左右の巻きピッチは同じＰiとしているが、ケーブル本体２の吊り線４に対する撚りピッチＰcの整数倍にならなければ、左巻きと右巻きとでピッチを異ならせたものであってもよい。
【００２６】
【発明の効果】
本発明によれば、次の効果を奏する。
【００２７】
(１)  請求項１記載の発明に係る架空光ケーブルは、ケーブル本体の部分には余分な張力が加わらないので、テープ心線の特性が損なわれず、しかも、テープ心線の分岐作業を容易に行うことができる。
【００２８】
(２)  請求項２記載の発明では、テープ心線に加わる曲げ応力がケーブルの一カ所に集中するのが回避され、伝送損失の増加を抑えることができる。
【図面の簡単な説明】
【図１】本発明の実施形態に係る架空光ケーブルの側面図である。
【図２】図１の架空光ケーブルの底面図である。
【図３】図１のＡ−Ａ線に沿う断面図である。
【図４】スロットロッドに形成された溝の形状を説明するための図である。
【図５】光ファイバケーブルを吊り線とケーブルリングを使用して電柱に取り付けた状態を示す側面図である。
【図６】従来の架空光ケーブルを示す側面図である。
【符号の説明】
１…架空光ケーブル、２…ケーブル本体、４…吊り線、６…保護シース、８…くびれ部、１０…窓、１２…スロットロッド、１６…溝、１８…テープ心線、Ｐc…撚りピッチ、Ｐi…溝の左右巻きピッチ。
【図１】
0003667851.tif 000002
【図２】
0003667851.tif 000003
【図３】
0003667851.tif 000004
【図４】
0003667851.tif 000005
【図５】
0003667851.tif 000006
【図６】
0003667851.tif 000007